(57)【要約】【課題】安価でセキュリティーが高く、かつ持ち出された物品の所在を明確に管理することができる物品管理装置を提供すること【解決手段】物品管理サーバ装置１０は、保管庫内に存在するタグ情報を受信し、持ち出し中の物品があるかどうか検出する持出中物品検出手段２１と、保管庫のある部屋または建物の入退出ドア脇に存在するタグ情報を受信するユーザ情報受信手段２３と、前記持出中物品検出手段２１とユーザ情報受信手段２３の情報からドアの開錠を決定する開錠指示手段２４とを備えている。【選択図】図２
2010216185.tif 000002
【特許請求の範囲】
【請求項１】
無線タグが付けられた物品を保管する保管庫に備え付けられた第１の無線タグリーダから読み取り結果を受信し、その結果に基づいてタグ情報の付けられた物品が保管庫から持ち出されたことを検出する持出中物品検出手段と、
前記保管庫が設置された部屋または建物の通常は施錠されているドアの近くに設置された第２の無線タグリーダから、物品を持ち出そうとするユーザが所持するユーザに固有のタグ情報と、持ち出される物品に付けられたタグ情報との両方を、読み取り結果として受信するユーザ情報受信手段と、
前記持出中物品検出手段によって持ち出されたと判断された物品のタグ情報と、前記ユーザ情報受信手段において受信された、持ち出される物品に付けられたタグ情報とが一致し、さらにユーザに固有のタグ情報が正当な権限を持つユーザのものである場合に限り、前記ドアの開錠を指示する開錠指示手段とを備えたことを特徴とする無線タグを用いた物品管理装置。
【請求項２】
無線タグが付けられた物品を保管する保管庫に備え付けられた第１の無線タグリーダから読み取り結果を受信し、その結果に基づいてタグ情報の付けられた物品が、前記保管庫から持ち出されたと判断する持出中物品検出手段と、
タグ情報の読み取り機能を持つ携帯電話から、前記保管庫が設置された部屋または建物の通常は施錠されているドアの近くに固定された無線タグのタグ情報と、持ち出される物品に付けられたタグ情報と前記携帯電話の識別子とを受信するユーザ情報受信手段と、
前記持出中物品検出手段により持ち出されたと判断された物品のタグ情報と、前記ユーザ情報受信手段に受信された持ち出される物品に付けられた無線タグ情報とが一致し、さらに前記携帯電話の識別子からその携帯電話のユーザが正当な権限を持つと判断した場合に限り、ドアの開錠を指示する開錠指示手段とを備えることを特徴とする無線タグを用いた物品管理装置。
【請求項３】
正当なユーザ情報に応じて保管庫の扉の開錠を行う開錠装置から、開錠操作を行ったユーザ情報を受け取る保管庫開錠情報受信手段をさらに設け、前記開錠指示手段の可否判断に、前記保管庫開錠情報受信手段で取得したユーザ情報と前記ユーザ情報受信手段で取得したユーザ情報を用いることを特徴とする請求項１または２記載の無線タグを用いた物品管理装置。
【発明の詳細な説明】
【技術分野】
【０００１】
本発明は、無線タグとリーダを用いて、書類や貴重品などの物品を安全に管理できる物品管理装置に関する。
【背景技術】
【０００２】
近年、無線タグを用いることで物品管理や入退室管理が容易にできるようになり、物品の在庫管理やセキュリティの向上のために使用されている。物品の在庫管理においては、無線タグをつけた商品の管理ができるスマートシェルフが開発され、デパートでは倉庫と売場の統合的商品管理や、図書館においては書籍の貸出システムに応用されている。
【０００３】
また、セキュリティに関しては物品を持ち出す人の無線タグ情報から入退出を許可し、電子錠を開閉するシステムなどが開発されている。さらに進んだ形態として、物品と入退出を同時に管理することも知られている。このような従来技術として以下のようなものがある。
【０００４】
例えば、電子鍵開閉システムとして、部屋のドア等に固定的に付けた無線タグを読取装置(たとえば携帯電話)で読み取り、読取装置が、無線タグのID（識別子）と、タグ読み取り装置のIDとの対を承認情報提供サーバに送信し、承認情報サーバが前記の２つのIDに基づいて認証を行い、電子鍵の開閉などの可否判断を行う技術が示されている（特許文献１）。
【０００５】
また、家具連携型入退室管理システムとして、家具に収納物品の有無を識別する物品識別手段を設け、その物品識別手段が収納物品なしと判断しているときに部屋のドアの開錠操作を行おうとすると、不正持ち出しであると判断して警告を発する技術などが示されている（特許文献２）。
【０００６】
しかしながら、特許文献１で開示された技術においては、ユーザの入退室の管理は可能であるが、ユーザが持ち出そうとした物品の管理ができないという欠点がある。また、特許文献２で開示された技術では、部屋からの退出においてユーザの認証のみを行うため、管理対象の物品が家具から持ち出された後、部屋の中に放置された状態であるのか、部屋から持ち出された状態であるかを判定することが難しく、物品の所在を正確に把握することができないという欠点があった。
【先行技術文献】
【特許文献】
【０００７】
【特許文献１】特開2008-7992 号公報
【特許文献２】特開2007-226454号公報
【発明の概要】
【発明が解決しようとする課題】
【０００８】
したがって本発明の目的は、上記課題を解決するために、安価でセキュリティが高くかつ持ち出された物品の所在をより明確に管理することができる物品管理装置を提供することにある。
【課題を解決するための手段】
【０００９】
上記の課題を解決するために、本発明の一態様によれば、
無線タグが付けられた物品を保管する保管庫に備え付けられた第１の無線タグリーダから読み取り結果を受信し、その結果に基づいてタグ情報の付けられた物品が保管庫から持ち出されたことを検出する持出中物品検出手段と、
前記保管庫が設置された部屋または建物の通常は施錠されているドアの近くに設置された第２の無線タグリーダから、物品を持ち出そうとするユーザが所持するユーザに固有のタグ情報と、持ち出される物品に付けられたタグ情報との両方を、読み取り結果として受信するユーザ情報受信手段と、
前記持出中物品検出手段によって持ち出されたと判断された物品のタグ情報と、前記ユーザ情報受信手段において受信された、持ち出される物品に付けられたタグ情報とが一致し、さらに前記ユーザに固有のタグ情報が正当な権限を持つユーザのものである場合に限り、前記ドアの開錠を指示する開錠指示手段とを備えたことを特徴とする無線タグを用いた物品管理装置が提供される。
【００１０】
さらに、無線タグが付けられた物品を保管する保管庫に備え付けられた第１の無線タグリーダから読み取り結果を受信し、その結果に基づいてタグ情報の付けられた物品が、前記保管庫から持ち出されたと判断する持出中物品検出手段と、
タグ情報の読み取り機能を持つ携帯電話から、前記保管庫が設置された部屋または建物の通常は施錠されているドアの近くに固定された無線タグのタグ情報、持ち出される物品に付けられたタグ情報、および前記携帯電話の識別子とを受信するユーザ情報受信手段と、
前記持出中物品検出手段により持ち出されたと判断された物品のタグ情報と、前記ユーザ情報受信手段に受信された持ち出される物品に付けられた無線タグ情報とが一致し、さらに前記携帯電話の識別子からその携帯電話のユーザが正当な権限を持つと判断した場合に限り、ドアの開錠を指示する開錠指示手段とを備えることを特徴とする無線タグを用いた物品管理装置が提供される。
【００１１】
さらに、正当なユーザ情報に応じて保管庫の扉の開錠を行う開錠装置から、開錠操作を行ったユーザ情報を受け取る保管庫開錠情報受信手段をさらに設け、前記開錠指示手段の可否判断に、前記保管庫開錠情報受信手段で取得したユーザ情報と前記ユーザ情報受信手段で取得したユーザ情報を用いることを特徴とする無線タグを用いた物品管理装置が提供される。
【発明の効果】
【００１２】
本発明によれば、物品の管理とそれを持ち出した人の管理を同時に行うので、物品の所在が正確で、安価でセキュリティの高いシステムを提供することができる。
【図面の簡単な説明】
【００１３】
【図１】本発明の第１の実施形態に係る無線タグリーダを用いた物品管理装置の構成図である。
【図２】本発明の第１の実施形態および第２の実施形態に係る物品管理サーバ装置の内部構成図である。
【図３】本発明の第２の実施形態に係る無線タグリーダを用いた物品管理装置の構成図である。
【図４】本発明の第３の実施形態に係る無線タグリーダを用いた物品管理装置の構成図である。
【図５】本発明の第３の実施形態に係る物品管理サーバ装置の内部構成図である。
【発明を実施するための形態】
【００１４】
以下、本発明の実施の形態について図面を参照しながら詳細に説明する。
【００１５】
図１は、本発明の第１の実施形態に係る無線タグリーダを用いた物品管理装置の構成図であり、図２は、物品管理サーバ装置の内部構成を示した図である。
【００１６】
物品管理サーバ装置１０と、無線タグリーダ１１が取り付けられた保管庫１２と、保管庫１２が設置された部屋または建物の、通常は施錠されているドア１３の近くに設置された無線タグリーダ１４とが、LAN（Local Area Network）等のネットワーク１５に接続されている。ドア１３脇の無線タグリーダ１４は、ユーザが持ち出そうとする物品１６とユーザの所持する従業員証や携帯電話１７のID（識別子）を読み取ることができる。
【００１７】
また、物品管理サーバ装置１０は、本発明を実現するようなアプリケーションが動作するサーバで構成されている。
【００１８】
保管庫１２内に存在する、すべての物品１６はタグが付けられていて、物品管理サーバ装置１０は、その物品のタグ情報（保管庫タグ情報２０）を受信し、現在持ち出し中の物品があるかどうかを検出する持出中物品検出手段２１と、保管庫１２が設置された部屋または建物の入退出するドア１３脇の無線タグリーダ１４によって読まれたＩＤ（ドア脇タグ情報２２）を受信するユーザ情報受信手段２３と、前記持出中物品検出手段２１とユーザ情報受信手段２３との情報からドア１３の開錠を決定する開錠指示手段２４とを備えている。なお、ドア１３脇の無線タグリーダ１４によって読まれる情報としては、物品１６に取り付けられたタグＩＤのほかにも、ユーザの所持する従業員証や携帯電話１７のＩＤであってもよい。
【００１９】
保管庫１２に設置された無線タグリーダ１１は、定期的に周囲をサーチして物品１６のそれぞれに付けられたタグを検出している。無線タグリーダ１１はそのタグのIDを物品管理サーバ装置１０に送る。以前に検出されていたが、最近のサーチでは検出されなくなったタグがあった場合、持出中物品検出手段２１によって、その検出されなかったIDをつけた物品１６を持出中と判断し記憶する。
【００２０】
その後ユーザは、物品１６を保管庫１２の棚から取り出すと部屋のドア１３の前に行き、その物品１６と無線タグが付けられた自己の所持する従業員証や携帯電話１７を共にドア脇の無線タグリーダ１４にかざして開錠を要求する。このとき、物品１６のIDとユーザの持つ従業員証や携帯電話１７のIDが、ドア１３脇の無線タグリーダ１４から物品管理サーバ装置１０のユーザ情報受信手段２３に送られる。
【００２１】
ユーザ情報受信手段２３は、前記の２つのIDを開錠指示手段２４に渡し、開錠の可否判定をするように要求する。開錠指示手段２４は、持出中物品検出手段２１に記憶されている物品のIDと、ユーザ情報受信手段２３から受け取った物品１６とのIDとが一致し、さらにそのユーザに物品持ち出しの権限があると判断した場合には、ドア１３に対して開錠指示を送信する。
【００２２】
この結果、本実施形態では、部屋からの退出時において、退出しようとするユーザの認証と共に、部屋から持ち出そうとする物品の確認も行うので、その物品を部屋の中に放置したまま退出することを防ぐことができ、また、誰が何をいつ持ち出したかを確実に管理することが可能である。
【００２３】
図３は、本発明の第２の実施形態に係る無線タグリーダを用いた物品管理装置を示す。物品管理装置の内部構成は図２と共通であるから図２を引用して説明する。
【００２４】
物品管理サーバ装置１０と、無線タグリーダ１１が取り付けられた保管庫１２は、LAN（Local Area Network）等のネットワーク１５に接続され、ユーザの持つ携帯電話１７は無線ネットワーク３０等に、接続されている。この時、携帯電話１７は無線タグのタグリーダ機能を有する。
【００２５】
保管庫１２に設置された無線タグリーダ１１は、定期的に周囲をサーチして物品１６のそれぞれに付けられたタグを検出している。無線タグリーダ１１はそのタグのIDを物品管理サーバ装置１０に送る。以前に検出されていたが、最近のサーチでは検出されなくなったタグがあった場合、持出中物品検出手段２１によって、その検出されなかったIDをつけた物品１６を持出中と判断し記憶する。
【００２６】
その後ユーザは、物品１６を保管庫１２の棚から取り出すとドア１３の前に行き、その物品１６に付けられたタグと、ドア１３またはドア１３の近くの壁などに固定的に付けられたタグ３１とを、自己の保持する無線タグ読み取り機能付き携帯電話１７で読み取り、それらのタグのIDを物品管理サーバ装置１０に向けて、携帯電話１７のブラウザで、フォーム送信やメール送信などの機能を用いてユーザ情報受信手段２３に送信する。このとき、物品１６のタグのIDだけでなく、携帯電話１７から読み取った自己のユーザIDもあわせて送信する。
【００２７】
ユーザ情報受信手段２３は、携帯電話１７から送信された、物品１６に付けられたタグのID、ドア１３またはこのドア脇に付けられたタグのID、携帯電話１７のユーザIDの組を受信すると、それらの情報を開錠指示手段２４に渡し、開錠の可否判定をするように要求する。開錠指示手段２４は、持出中物品検出手段２１に記憶されている物品のIDと、ユーザ情報受信手段２３から受け取った物品のIDとが一致し、さらにユーザに物品持ち出しの権限があると判断した場合には、ドア１３またはドア１３脇に貼られたタグのIDに対応するドア１３に対して開錠指示を送信する。
【００２８】
この結果、本実施形態では、部屋または建物のドアには無線タグを固定し、その無線タグをユーザの所持する携帯電話で読み取るので、タグの読み取りのために個々のドアに高価な無線タグリーダを設置する必要がなくなり、コストをより押さえることが可能である。
【００２９】
また、本実施形態で述べた携帯電話は、無線タグの読み取り機能と、無線通信機能を持ち、自己を唯一識別できるIDを持つ携帯型端末であれば携帯電話に限ることはない。
【００３０】
図４は本発明の第３の実施形態に係る無線タグリーダを用いた物品管理装置の構成図である。また、図５は本発明の実施例３に係る物品管理サーバ装置の内部構成図である。
【００３１】
図４において、図１との違いは保管庫１２内に開錠装置４０を備えており、物品管理サーバ装置１０は、LAN等のネットワーク１５を介して保管庫１２の開錠情報を受信できる。
【００３２】
図５においては、この保管庫の開錠情報５０を受信できるよう保管庫開錠情報受信手段５１を追加したことにある。
【００３３】
物品管理装置としての構成は第１の実施形態とほぼ同様であるが、ユーザは、物品１６を取り出すに先立ってまず保管庫１２の開錠装置４０に自己の所持する従業員証や携帯電話１７に格納された自己のユーザIDを読み取らせる。そして、開錠装置４０がこのユーザIDを物品管理サーバ装置１０に送信する。物品管理サーバ装置１０は、保管庫１２の開錠に用いたユーザIDがドア１３において読み取られたユーザのIDと一致するかどうかもあわせて検査する。
【００３４】
この結果、本実施形態においては、保管庫からの取り出しにおいてもユーザの身元を確認し、部屋から出ようとするユーザとの一致を検査するので、より強固なセキュリティが実現できる。
【００３５】
なお、第１の実施形態に保管庫の開錠装置４０を追加した場合について説明したが、これと同様に第２の実施形態に保管庫の開錠装置４０を追加することも可能である。
【００３６】
以上述べたように、本発明の無線タグリーダと連携した物品管理装置によれば、物品の管理とそれを持ち出した人の管理を同時に行うので、物品の所在が正確で、安価でセキュリティの高いシステムを提供することができる。
【００３７】
本発明は上記実施形態そのままに限定されるものではなく、実施段階ではその要旨を逸脱しない範囲で構成要素を変形して具体化できる。上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【符号の説明】
【００３８】
１０…物品管理サーバ装置
１１、１４…無線タグリーダ
１２…保管庫
１３…開閉錠機能つきドア
１５…ローカルエリアネットワーク
１６…物品
１７…無線タグ付従業員証または携帯電話
２０…保管庫タグ情報
２１…持出中物品検出手段
２２…ドア脇タグ情報
２３…ユーザ情報受信手段
２４…開錠指示手段
３０…無線ネットワーク
３１…無線タグ
４０…保管庫開錠装置
５０…保管庫開錠情報
５１…保管庫開錠情報受信手段
【図１】
2010216185.tif 000003
【図２】
2010216185.tif 000004
【図３】
2010216185.tif 000005
【図４】
2010216185.tif 000006
【図５】
2010216185.tif 000007